(57)【特許請求の範囲】
【請求項１】
ビデオレコーディング、オーディオレコーディング、およびストリームレコーディングのうちの２種類以上の異なる規格のいずれかに基づきコーディングされた複数種類のデータを記録できる記録領域を有するものにおいて、
前記記録領域は、
前記２種類以上の異なる規格のうち第１の規格に基づきコーディングされた第１のデータを管理する第１の管理情報を記録できる第１管理情報記録領域と；
前記２種類以上の異なる規格のうち第２の規格に基づきコーディングされた第２のデータを管理する第２の管理情報を記録できる第２管理情報記録領域と；
前記第１の管理情報および前記第２の管理情報はそのまま残し、さらに、前記第１の管理情報および前記第２の管理情報をまとめて管理する、より管理レベルが上位の統合管理情報を記録できる統合管理情報記録領域とを含み、
前記統合管理情報が、前記２種類以上の異なる規格のコンテンツ情報を任意に組み合わせてその再生順を規定する情報を含むように構成したことを特徴とする情報媒体。
【請求項２】
請求項１に記載の前記情報媒体から情報を読み出し、読み出した情報中に前記異種規格のデータのファイルが存在する場合は、前記情報媒体に異なる規格のデータが記録されていることをユーザに通知するように構成したことを特徴とする方法。
【請求項３】
請求項１に記載の前記情報媒体から情報を読み出し、読み出した情報中に前記異種規格のデータのファイルが存在する場合は、前記情報媒体に異なる規格のデータが記録されていることをユーザに通知するように構成したことを特徴とする装置。
【請求項４】
ビデオレコーディング、オーディオレコーディング、およびストリームレコーディングのうちの２種類以上の異なる規格のいずれかに基づきコーディングされた複数種類のデータを記録できる記録領域を有する情報媒体であって、前記記録領域が、前記２種類以上の異なる規格のうち第１の規格に基づきコーディングされた第１のデータを管理する第１の管理情報を記録できる第１管理情報記録領域と、前記２種類以上の異なる規格のうち第２の規格に基づきコーディングされた第２のデータを管理する第２の管理情報を記録できる第２管理情報記録領域と、前記第１の管理情報および前記第２の管理情報はそのまま残しさらに前記第１の管理情報および前記第２の管理情報をまとめて管理するより管理レベルが上位の統合管理情報を記録できる統合管理情報記録領域とを含み、かつ、前記統合管理情報が前記２種類以上の異なる規格のコンテンツ情報を任意に組み合わせてその再生順を規定する情報を含むように構成した情報媒体を用いる方法において、
前記記録領域から、前記第１の管理情報および前記第２の管理情報を読み出し、
読み出された前記第１の管理情報および前記第２の管理情報に基づいて前記統合管理情報の内容を作成し、
前記記録領域に、作成された前記統合管理情報を記録するように構成された情報記録方法。
【請求項５】
ビデオレコーディング、オーディオレコーディング、およびストリームレコーディングのうちの２種類以上の異なる規格のいずれかに基づきコーディングされた複数種類のデータを記録できる記録領域を有する情報媒体であって、前記記録領域が、前記２種類以上の異なる規格のうち第１の規格に基づきコーディングされた第１のデータを管理する第１の管理情報を記録できる第１管理情報記録領域と、前記２種類以上の異なる規格のうち第２の規格に基づきコーディングされた第２のデータを管理する第２の管理情報を記録できる第２管理情報記録領域と、前記第１の管理情報および前記第２の管理情報はそのまま残しさらに前記第１の管理情報および前記第２の管理情報をまとめて管理するより管理レベルが上位の統合管理情報を記録できる統合管理情報記録領域とを含み、かつ、前記統合管理情報が前記２種類以上の異なる規格のコンテンツ情報を任意に組み合わせてその再生順を規定する情報を含むように構成した情報媒体を用いる方法において、
前記記録領域から前記統合管理情報を読み出し、
読み出した前記統合管理情報の内容に基づいて、前記記録領域から対応する規格のコンテンツを読み出すように構成された情報再生方法。
【請求項６】
ビデオレコーディング、オーディオレコーディング、およびストリームレコーディングのうちの２種類以上の異なる規格のいずれかに基づきコーディングされた複数種類のデータを記録できる記録領域を有する情報媒体であって、前記記録領域が、前記２種類以上の異なる規格のうち第１の規格に基づきコーディングされた第１のデータを管理する第１の管理情報を記録できる第１管理情報記録領域と、前記２種類以上の異なる規格のうち第２の規格に基づきコーディングされた第２のデータを管理する第２の管理情報を記録できる第２管理情報記録領域と、前記第１の管理情報および前記第２の管理情報はそのまま残しさらに前記第１の管理情報および前記第２の管理情報をまとめて管理するより管理レベルが上位の統合管理情報を記録できる統合管理情報記録領域とを含み、かつ、前記統合管理情報が前記２種類以上の異なる規格のコンテンツ情報を任意に組み合わせてその再生順を規定する情報を含むように構成した情報媒体を用いる装置において、
前記記録領域から前記統合管理情報を読み出す手段と、
読み出した前記統合管理情報の内容に基づいて、前記記録領域から対応する規格のコンテンツを読み出す手段とを含んで構成された情報再生装置。
【発明の詳細な説明】
【０００１】
【発明の属する技術分野】
この発明は、異種規格情報の混在記録管理システムに関する。とくに、一般的なコンピュータ情報を含め、映像情報、音声情報、ストリーム情報などの記録再生が可能な情報記憶媒体を用い、各情報を関連付けて再生する再生方法／再生装置、各情報を統合管理する管理情報の記録方法／記録装置、および情報記憶媒体上に記録される統合管理情報のデータ構造に関する。
【０００２】
【従来の技術】
近年、ＤＶＤフォーラムから１９９６年８月に発行された再生専用ディスクのＤＶＤ規格に準拠した再生機のＤＶＤビデオプレーヤおよび映画等のコンテンツを記録したＤＶＤビデオディスクが、多数製品化され、各家庭内に普及しつつある。
【０００３】
また最近では、ＤＶＤフォーラム内で規格化された記録再生が可能なＤＶＤ−ＲＡＭ（書替可能）ディスクやＤＶＤ−ＲＷ（再記録可能）ディスクを利用したＤＶＤレコーディングのアプリケーション規格の規格化が完了もしくは規格化されつつある。
【０００４】
このＤＶＤレコーディングのアプリケーション規格には、既に規格化され、１９９９年末から商品化され始めたＤＶＤビデオレコーディング（ＤＶＤ−ＶＲ）規格、今後の製品化が待たれるＤＶＤストリームレコーディング（ＤＶＤ−ＳＲ）規格、および現在規格化進行中であるＤＶＤオーディオレコーディング（ＤＶＤ−ＡＲ）規格、の３つのアプリケーション規格が存在する。
【０００５】
【発明が解決しようとする課題】
しかし、これら３つのアプリケーション規格は、それぞれのＤＶＤレコーディング規格で規定される各コンテンツ情報が同一ディスク上での混在が可能であるにも関わらず、それぞれの規格が独立して規格化されているため、各規格間での関連情報は何ら有しておらず、複数規格間のコンテンツ情報の存在を確認し、それらを統合して再生することは規定されていない。
【０００６】
この発明は上記事情に鑑みなされたもので、異なるＤＶＤレコーディング規格のコンテンツ情報が同一ディスク上に混在する場合に、異なるＤＶＤレコーディング規格のコンテンツ情報が混在することをユーザなどに認識せしめることのできる、異種規格情報の混在記録管理システムを提供することを目的とする。
【０００７】
【課題を解決するための手段】
この発明の一実施の形態に係る異種規格情報の混在記録管理システムで用いられる情報媒体（１００、７００）は、ビデオレコーディング、オーディオレコーディング、およびストリームレコーディングのうちの２種類以上の異なる規格のいずれかに基づきコーディングされた複数種類のデータを記録できる記録領域を有する。この情報媒体において、前記記録領域は、前記２種類以上の異なる規格のうち第１の規格に基づきコーディングされた第１のデータを管理する第１の管理情報を記録できる第１管理情報記録領域と；前記２種類以上の異なる規格のうち第２の規格に基づきコーディングされた第２のデータを管理する第２の管理情報を記録できる第２管理情報記録領域と；前記第１の管理情報および前記第２の管理情報はそのまま残し、さらに、前記第１の管理情報および前記第２の管理情報をまとめて管理する、より管理レベルが上位の統合管理情報を記録できる統合管理情報記録領域とを含む。そして、前記統合管理情報（図１１の８００）が、前記２種類以上の異なる規格のコンテンツ情報を任意に組み合わせてその再生順を規定する情報（ＵＤ＿ＰＧＣＩ８０５）を含むように構成される。
【０００８】
また、この発明の実施に係る方法（図１０）は、前記情報媒体から情報を読み出し（ＳＴ１００）、読み出した情報中に前記異種規格のデータのファイルが存在する場合は（ＳＴ１０６イエス）、前記情報媒体に異なる規格のデータが記録されていることをユーザに通知する（ＳＴ１０８）ように構成される。
【０００９】
また、この発明の実施に係る装置（図９）は、前記情報媒体から情報を読み出し（ＳＴ１００）、読み出した情報中に前記異種規格のデータのファイルが存在する場合は（ＳＴ１０６イエス）、前記情報媒体に異なる規格のデータが記録されていることをユーザに通知する（ＳＴ１０８）ように構成される（ＭＰＵ部６０４）。
【００１０】
【発明の実施の形態】
以下、図面を参照して、この発明の一実施の形態に係る異種規格情報混在記録管理システムを説明する。
【００１１】
図１は、この発明の一実施の形態に係る異種規格情報混在記録管理システムで使用可能な情報記憶媒体１００（具体的にはＤＶＤ−ＲＡＭ、ＤＶＤ−ＲＷ、ＤＶＤ−Ｒ、ＨＤＤ等の情報媒体）のデータ構造を説明する図である。
【００１２】
図１（ａ）に示す書き換え可能なディスク形状の情報記憶媒体（ＤＶＤ−ＲＡＭディスク、ＤＶＤ−ＲＷディスクなど）１００は、図１（ｂ）に示すように、リードインエリア１１０、ボリューム＆ファイル構造情報１１１、データエリア１１２、およびリードアウトエリア１１３を持っている。
【００１３】
図１（ｂ）のデータエリア１１２内は、図１（ｃ）に示すように、一般コンピュータ情報記録領域１２０およびオーディオ・ビデオ関連情報記録領域１２１が混在して存在できるフォーマットになっている。
【００１４】
図１（ｃ）のオーディオ・ビデオ関連情報記録領域１２１には、図１（ｄ）に示すように、ＤＶＤ−ＶＲ（ビデオレコーディング）規格、ＤＶＤ−ＡＲ（オーディオレコーディング）規格およびＤＶＤ−ＳＲ（ストリームレコーディング）規格の各ＤＶＤレコーディング規格で規定されるオーディオ・ビデオのコンテンツ情報を混在させて記録できるようになっている。
【００１５】
すなわち、オーディオ・ビデオ関連情報記録領域１２１には、ＤＶＤ−ＶＲ（ビデオレコーディング）規格で規定される動画像コンテンツ情報のＶＲ動画データ記録領域１３１、静止画像コンテンツ情報のＶＲ静止画データ記録領域１３２、静止画像用音声コンテンツ情報のＶＲ静止画用音声データ記録領域１３３の再生オブジェクトを含め、これらの再生オブジェクトを管理するＶＲ管理情報記録領域１３０およびＶＲ管理情報記録領域１３０と内容が同一である予備管理情報のＶＲ予備管理情報記録領域１３４が記録可能である。
【００１６】
また、オーディオ・ビデオ関連情報記録領域１２１には、ＤＶＤ−ＡＲ（オーディオレコーディング）規格で規定される音声コンテンツ情報のＡＲ音声データ記録領域１４１、静止画像コンテンツ情報のＡＲ静止画データ記録領域１４２の再生オブジェクトを含め、これらの再生オブジェクトを管理するＡＲ管理情報記録領域１４０およびＡＲ管理情報記録領域１４０と内容が同一である予備管理情報のＡＲ予備管理情報記録領域１４３が記録可能である。
【００１７】
さらに、オーディオ・ビデオ関連情報記録領域１２１には、ＤＶＤ−ＳＲ（ストリームレコーディング）規格で規定されるストリームコンテンツ情報のＳＲストリーム記録領域１５１の再生オブジェクトを含め、この再生オブジェクトを管理するＳＲ管理情報記録領域１５０およびＳＲ管理情報記録領域１５０と内容が同一である予備管理情報のＳＲ予備管理情報記録領域１５２が記録可能である。
【００１８】
また、オーディオ・ビデオ関連情報記録領域１２１には、ＤＶＤ−ＳＲ規格準拠の装置固有情報を記述可能なＳＲ個別情報記録領域１５３およびＳＲ個別情報記録領域１５３と内容が同一である予備管理情報のＳＲ予備個別情報記録領域１５４も記録可能となっている。
【００１９】
ここで、図１（ｃ）、（ｄ）は、情報記憶媒体１００のデータエリア１１２に、どのような種類の情報が記録されるのかを理解し易くするための模式図であり、実際には、図１（ｅ）に示すように、夫々のＤＶＤレコーディング規格に規定されるファイルのファイル断片（ＶＲデータ１３５、ＡＲデータ１４４およびＳＲデータ１５５）のチェーンとして、一般コンピュータ情報記録領域１２０に記録されるＰＣファイル（ＰＣデータ１２２）とともに、交互にインターリーブ記録されるのが普通である。
【００２０】
図２は、図１に示す情報記憶媒体１００内のボリューム＆ファイル構造情報１１１に記録されるものであって、３種類のＤＶＤレコーディング規格（ビデオレコーディングＶＲ規格／オーディオレコーディングＡＲ規格／ストリームレコーディングＳＲ規格）で規定されるファイルのディレクトリ構造を例示する図である。
【００２１】
図２に示すように、ルートディレクトリ２００の階層下には、ＤＶＤ＿ＲＴＡＶディレクトリ２１０、ＤＶＤ＿ＲＴＡＶ以外のディレクトリを示す他のサブディレクトリ２２０、およびその他のファイル２２１が配置可能となっている。
【００２２】
サブディレクトリ２０１には、ＤＶＤ−ＶＲ規格準拠のファイル群２３０〜２３４、ＤＶＤ−ＡＲ規格準拠のファイル群２４０〜２４３およびＤＶＤ−ＳＲ規格準拠のファイル群２５０〜２５４を含むデータファイル２０２が格納される。
【００２３】
この発明では、ＤＶＤ＿ＲＴＡＶディレクトリ２１０の階層下にある複数種類のＤＶＤレコーディング規格（ＶＲ／ＡＲ／ＳＲ）で規定されるファイル群が、利用可能となる。
【００２４】
図３〜図５は、３種類のＤＶＤレコーディング規格（ＶＲ／ＡＲ／ＳＲ）それぞれにおける管理情報のデータ構造を例示している。
【００２５】
図３は、図１に示す情報記憶媒体１００内のオーディオ・ビデオ関連情報記録領域１２１に記録されるものであって、ビデオレコーディング規格用のＶＲ管理情報記録領域１３０（図２のＶＲ＿ＭＡＮＧＲ．ＩＦＯファイル２３０またはその予備ファイルＶＲ＿ＭＡＮＧＲ．ＢＵＰ２３４に対応）の内部データ構造を説明する図である。
【００２６】
図３において、ＲＴＲビデオマネージャ情報３００は、ＶＲ＿ＭＡＮＧＲ．ＩＦＯ２３０に格納されるＶＲ管理情報全体を管理する情報領域である。ムービーＡＶファイル情報テーブル３０１は、ＶＲ＿ＭＯＶＩＥ．ＶＲＯ２３１ファイルに格納されるＶＲ動画データを管理する情報領域である。スチルピクチャＡＶファイル情報テーブル３０２は、ＶＲ＿ＳＴＩＬＬ．ＶＲＯ２３２およびＶＲ＿ＡＵＤＩＯ．ＶＲＯ２３３ファイルに格納されるＶＲ静止画データおよび静止画用音声データを管理する情報領域である。
【００２７】
また、オリジナルＰＧＣ（プログラムチェーン）情報３０３は、記録されるＶＲ動画データ、静止画データおよび静止画用音声データ全体の再生順含む再生制御情報領域である。ユーザ定義ＰＧＣ情報テーブル３０４は、ユーザが希望するシーンを自由に組合せて、その再生順番を規定した再生制御情報領域である。テキストデータマネージャ３０５は、記録されるコンテンツに関するテキスト情報領域である。そして、製造者情報テーブル３０６は、メーカ独自情報を自由に記録可能な情報領域である。
【００２８】
図４は、図１に示す情報記憶媒体１００内のオーディオ・ビデオ関連情報記録領域１２１に記録されるものであって、オーディオレコーディング規格用のＡＲ管理情報記録領域１４０（図２のＡＲ＿ＭＡＮＧＲ．ＩＦＯファイル２４０またはその予備ファイルＡＲ＿ＭＡＮＧＲ．ＢＵＰ２４３に対応）の内部データ構造を説明する図である。
【００２９】
図４において、ＲＴＲオーディオマネージャ情報３１０は、ＡＲ＿ＭＡＮＧＲ．ＩＦＯ２４０に格納されるＡＲ管理情報全体を管理する情報領域である。オーディオファイル情報テーブル３１１は、ＡＲ＿ＡＵＤＩＯ．ＡＲＯ２４１ファイルに格納されるＡＲ音声データを管理する情報領域である。オーディオスチルビデオファイル情報テーブル３１２は、ＡＲ＿ＳＴＩＬＬ．ＡＲＯ２４２ファイルに格納されるＡＲ静止画データを管理する情報領域である。
【００３０】
また、オリジナルＰＧＣ情報３１３は、記録されるＡＲ音声データ、静止画データ全体の再生順含む再生制御情報領域である。ユーザ定義ＰＧＣ情報テーブル３１４は、ユーザが希望する小節を自由に組合せて、その再生順番を規定した再生制御情報領域である。テキストデータマネージャ３１５は、記録されるコンテンツに関するテキスト情報領域である。そして、製造者情報テーブル３１６は、メーカ独自情報を自由に記録可能な情報領域である。
【００３１】
図５は、図１に示す情報記憶媒体１００内のオーディオ・ビデオ関連情報記録領域１２１に記録されるものであって、ストリームレコーディング規格用のＳＲ管理情報記録領域１５０（図２のＳＲ＿ＭＡＮＧＲ．ＩＦＯファイル２５０またはその予備ファイルＳＲ＿ＭＡＮＧＲ．ＢＵＰ２５２に対応）の内部データ構造を説明する図である。
【００３２】
図５において、ＲＴＲストリームマネージャ情報３２０は、ＳＲ＿ＭＡＮＧＲ．ＩＦＯ２５０に格納されるＳＲ管理情報全体を管理する情報領域である。ストリームファイル情報テーブル３２１は、ＳＲ＿ＳＴＲＥＡＭ．ＳＲＯ２５１ファイルに格納されるＳＲストリームデータを管理する情報領域である。
【００３３】
また、オリジナルＰＧＣ情報３２２は、記録されるＳＲストリームデータ全体の再生順含む再生制御情報領域である。ユーザ定義ＰＧＣ情報テーブル３２３は、ユーザが希望するシーンを自由に組合せて、その再生順番を規定した再生制御情報領域である。そして、テキストデータマネージャ３２４は、記録されるコンテンツに関するテキスト情報領域である。
【００３４】
図３〜図５に示すように、ＤＶＤ−ＶＲ規格、ＤＶＤ−ＡＲ規格およびＤＶＤ−ＳＲ規格は、各ＤＶＤレコーディング規格で規定されるコンテンツ情報を再生するための再生制御情報として、データ構造的に共通性のあるオリジナルＰＧＣ情報３０３／３１３／３２２、ユーザ定義ＰＧＣ情報３０４／３１４／３２３およびプレイリストサーチポインタテーブル３０８／３１８／３２６を有している。これらの構造的に共通性のある情報は、ＤＶＤ−ＶＲ規格、ＤＶＤ−ＡＲ規格およびＤＶＤ−ＳＲ規格それぞれの管理情報記録領域１３０、１４０および１５０内に記録されている。
【００３５】
オリジナルＰＧＣ情報３０３／３１３／３２２およびユーザ定義ＰＧＣ情報３０４／３１４／３２３内に格納される再生制御情報は、ＤＶＤ規格間において互換性のある再生制御の基本単位であるプログラムチェーンデータ構造（ＰＧＣデータ構造）を有している。
【００３６】
図６は、互いに異なる３種類のＤＶＤ規格（ＶＲ規格／ＡＲ規格／ＳＲ規格）間において互換性のあるコンテンツ再生制御の基本単位であるプログラムチェーン情報（ＰＧＣＩ）の内部データ構造を説明する図である。
【００３７】
図６において、コンテンツ情報の再生手順を示す情報は、プログラムチェーン情報（ＰＧＣＩ）４００内に記録されている。すなわち、連続再生されるコンテンツ情報の最小基本単位を“セル”と呼び、その“セル”のつながりとして再生手順であるＰＧＣ（プログラムチェーン）が構成される。
【００３８】
ＰＧＣ情報４００は、そのＰＧＣ内に含まれるプログラム数４１１およびセル数４１２を示す情報を有するＰＧＣ一般情報４１０と；各プログラムタイプ４２１、プログラム内に含まれるセル数４２２およびテキスト情報４２３を有するプログラム情報４２０と；各セル情報の開始位置を示すＣＩ開始アドレス４３１を有するセル情報サーチポインタ４３０と；コンテンツ情報の再生区間を示す再生情報であるセル情報４４０とで構成される。
【００３９】
但し、ユーザ定義ＰＧＣ情報は、コンテンツ情報の再生区間を示す再生情報であるセル情報４４０と、その再生順を示すセル情報４４０群の配列からのみ構成され、プログラム情報４２０は、含まれない。
【００４０】
各セル情報４４０は、セル情報全体に関する情報であるセル一般情報４４１と、セル内での再生エントリポイントを示すセルエントリポイント情報４４２とで構成されている。
【００４１】
セル一般情報４４１内には、再生されるセルのコンテンツタイプ（ビデオ／オーディオ／スチルピクチャ／ストリーム：４５５）を示す情報セルタイプ４５０、実際に再生するコンテンツ情報のオブジェクト番号４５１、セル内に含まれるエントリポイントの数４５２、セルの開始時間（開始位置）４５３、およびセルの終了時間（終了位置）４５４が含まれる。
【００４２】
図７、図８は、各ＤＶＤ規格間でデータ構造的に互換性のある再生制御情報のプレイリストおよびユーザ定義ＰＧＣ情報のデータ構造を例示している。
【００４３】
図７は、互いに異なる３種類のＤＶＤ規格（ＶＲ規格／ＡＲ規格／ＳＲ規格）間において互換性のあるコンテンツ再生制御情報であるプレイリストサーチポインタテーブル（ＰＬ＿ＳＲＰＴ）の内部データ構造を説明する図である。
【００４４】
図７に示すように、プレイリストサーチポインタテーブル５００は、プレイリストサーチポインタテーブル情報（ＰＬ＿ＳＲＰＴＩ）５１０と、１以上のプレイリストサーチポインタ（ＰＬ＿ＳＲＰ＃１〜＃ｓ）５２０とを含んでいる。
【００４５】
ここで、ＰＬ＿ＳＲＰＴＩ５１０は、ユーザが再生選択可能なプレイリストの数を示すＰＬ＿ＳＲＰ＿Ｎｓ５１１を有している。また、各ＰＬ＿ＳＲＰ５２０は、各プレイリストのコンテンツ情報（ビデオ／オーディオ／スチルピクチャ／ストリーム／ハイブリッド）を示すプレイリストタイプ（ＰＬ＿ＴＹ）５２１、各プレイリストで再生されるユーザ定義ＰＧＣ情報テーブル５３０内に含まれるユーザ定義ＰＧＣ情報５６０のＰＧＣ番号（ＰＧＣＮ）５２２、および各プレイリストに関するプライマリテキスト情報（ＰＲＭ＿ＴＸＴＩ）５２３を有している。
【００４６】
図８は、互いに異なる３種類のＤＶＤ規格（ＶＲ規格／ＡＲ規格／ＳＲ規格）間において互換性のあるコンテンツ再生制御情報である、ユーザ定義ＰＧＣ情報テーブル（ＵＤ＿ＰＧＣＩＴ）の内部データ構造を説明する図である。
【００４７】
図８に示すように、ユーザ定義ＰＧＣ情報テーブル５３０は、ユーザ定義ＰＧＣ情報テーブル情報（ＵＤ＿ＰＧＣＩＴＩ）５４０と、１以上のユーザ定義ＰＧＣ情報サーチポインタ（ＵＤ＿ＰＧＣＩ＿ＳＲＰ＃１〜＃ｔ）５５０と、１以上のユーザ定義ＰＧＣ情報（ＵＤ＿ＰＧＣＩ＃１〜＃ｔ）５６０とを含んでいる。
【００４８】
ここで、ＵＤ＿ＰＧＣＩＴＩ５４０はテーブル内に含まれるユーザ定義ＰＧＣ情報の数（ＵＤ＿ＰＧＣＩ＿ＳＲＰ＿Ｎｓ）５４１を有している。また、各ＵＤ＿ＰＧＣＩ＿ＳＲＰ５５０は、対応するユーザ定義ＰＧＣ情報の開始位置（ＵＤ＿ＰＧＣＩ＿ＳＡ）５５１を有している。
【００４９】
図９は、ファイル単位で管理される複数種類の異種規格（ＶＲ規格／ＡＲ規格／ＳＲ規格）のコンテンツ情報（ＶＲデータ／ＡＲデータ／ＳＲデータ）およびそれらのコンテンツ管理情報（ＶＲ管理情報／ＡＲ管理情報／ＳＲ管理情報）を、たとえば図１に示す情報記憶媒体１００（あるいはＨＤＤレコーダユニット７００）に混在記録し、またこの媒体１００（ＨＤＤ７００）から混在記録された異種規格のコンテンツ情報（ＶＲデータ／ＡＲデータ／ＳＲデータ）を再生する記録再生装置の構成を説明するブロック図である。
【００５０】
図９の装置の概略動作は、次のようになっている。すなわち、ディスクドライブ部６０９で情報記憶媒体１００に対する情報の記録および再生が行なわれる。各種入力部６４０〜６４２、６１２、６１３から入力された各種コンテンツ情報は、エンコーダ部６０１でエンコードされた後に、ディスクドライブ部６０９を介して情報記憶媒体１００上に記録される。同時にそのオブジェクト情報に関する管理情報が、メインＭＰＵ部６０４内で作られ、ディスクドライブ部６０９を介して情報記憶媒体１００上に記録される。
【００５１】
再生時には、ディスクドライブ部６０９を介して情報記憶媒体１００内に記録されている管理情報が、メインＭＰＵ部６０４内のワークＲＡＭ部６０４ａ内に一時記録される。このワークＲＡＭ部６０４ａ内に一時記録された管理情報を利用して、情報記憶媒体１００上に記録された再生対象のコンテンツ情報を読み取り、デコーダ部６０２でデコードした後に、スピーカー６３３、ＴＶ６３７あるいは表示部６０８に出力する。
【００５２】
図９の装置の概略構成は、次のようになっている。すなわち、図９に示すＲＴＲ−ＤＶＤビデオレコーダの装置本体は、大まかにいって、デジタル放送チューナを内蔵したセットトップボックス（ＳＴＢ）部６０３と、ＤＶＤーＲＡＭ、ＤＶＤ−ＲＷまたはＤＶＤーＲ等の録再可能光ディスク１００を回転駆動し、このディスク１００に対して情報の読み書きを実行するディスクドライブ部６０９と、録画側を構成するエンコーダ部６０１と、再生側を構成するデコーダ部６０２と、装置全体の動作を制御するメインＭＰＵ部６０４とで構成されている。
【００５３】
さらに、ディスクドライブ部６０９とメインＭＰＵ部６０４とを結ぶデータバスには、大容量（たとえば３０ＧＢ〜１００ＧＢあるいはそれ以上）で高速な（データ転送レートがＩＥＥＥ１３９４シリアルバスと同等以上；具体的には４００Ｍｂｐｓ〜５００Ｍｂｐｓクラス）ハードディスクドライブ（ＨＤＤ）を利用したレコーダユニット７００を接続しておくことができる。
【００５４】
この大容量高速ＨＤＤレコーダユニット７００は、この発明の実施の形態によっては必ずしも必要ではないが、ＤＶＤ−ＲＡＭ等のディスクドライブ部６０９とＨＤＤレコーダユニット７００とを一体化しておくと、たとえば以下のようなことが可能になる。
【００５５】
すなわち、デジタルＴＶ放送番組等をＨＤＤレコーダユニット７００でエアチェックする。エアチェックした番組のうち、ユーザが消したくないと思う番組（コピー制限がされていない番組コンテンツ）が幾つかあれば、それらを適宜繋ぎ編集設定した後、ＤＶＤ−ＲＡＭディスク、ＤＶＤ−ＲＷディスク、あるいはＤＶＤ−Ｒディスクにコピー（バックアップ）する。すると、ＨＤＤレコーダユニット７００でエアチェックした所望番組の永久保存が可能となり、その一方で、ディスクにコピーした分をＨＤＤレコーダユニット７００から消去可能にできる（コピーした番組のファイルをごみ箱アイコンに捨てるなど）。そうすれば、ごみ箱アイコンに捨てたファイルサイズ分だけ、ＨＤＤレコーダユニット７００に、その後の録画スペースを余分に確保できるようになる。
【００５６】
あるいは、たとえば４．７ＧＢ容量のＤＶＤ−ＲＡＭディスク１枚に収まりきらない長時間ＴＶ番組のエアチェックは大容量（空き容量がたとえば３０ＧＢ）ＨＤＤレコーダユニット７００で行い、エアチェックした長時間番組を後にＨＤＤレコーダユニット７００から複数枚のＤＶＤ−ＲＡＭディスクにコピーすることもできる。このようにすれば、ディスク交換（あるいは録画用ディスクの切替）に要する期間中（数秒〜数十秒程度）に生じるエアチェック漏れを防止できる。
【００５７】
あるいは、ＨＤＤレコーダユニット７００にＤＶＤ−ＶＲビデオ信号、ＤＶＤ−ＡＲオーディオ信号、ＤＶＤ−ＳＲストリーム信号を任意に混在記録しておく。そして、後に、ＨＤＤレコーダユニット７００からＤＶＤ−ＶＲビデオ信号だけをあるＤＶＤ−ＲＡＭディスクにコピーし、ＤＶＤ−ＡＲオーディオ信号だけを他のＤＶＤ−ＲＡＭディスクにコピーし、ＤＶＤ−ＳＲストリーム信号だけをさらに他のＤＶＤ−ＲＡＭディスクにコピーする、といったこともできる。
【００５８】
なお、図９の装置にＨＤＤレコーダユニット７００を内蔵せず、この装置を光ディスクレコーダ専用の構成とし、この装置にＨＤＤレコーダユニット７００接続用のＩＥＥＥ１３９４インターフェイス（あるいはＨＤＤレコーダユニットを後に装着するためのスペースとその接続スロット）を設けるようにしてもよい。
【００５９】
図９の装置の詳細構成は、次のようになっている。すなわち、図９のエンコーダ部６０１は、Ａ／Ｄ変換部６１４と、ビデオエンコード部６１６と、オーディオエンコード部６１７と、リアルタイムテキスト（ＲＴ＿ＴＥＸＴ）エンコード部６１８と、フォーマッタ部６１９と、バッファメモリ部６２０とを備えている。
【００６０】
ＲＴ＿ＴＥＸＴエンコード部６１８は、キー入力部６４２から入力されたテキスト、あるいはＴＶチューナ部６１３から入力された文字放送信号成分（あるいはクローズドキャプションＣＣ）をエンコードして、フォーマッタ部６１９に供給する。
【００６１】
Ａ／Ｄ変換部６１４には、ＡＶ入力部６１２からの外部アナログビデオ信号＋外部アナログオーディオ信号、あるいはＴＶチューナ部６１３からのアナログＴＶ信号＋アナログ音声信号、もしくはマイクロフォン６４１からのアナログオーディオ信号等が入力される。このＡ／Ｄ変換部６１４は、入力されたアナログビデオ信号を、たとえばサンプリング周波数１３．５ＭＨｚ、量子化ビット数８ビットでデジタル化する。デジタル化されたビデオ信号は、セレクタ６１５およびビデオエンコード部６１６を介して、フォーマッタ部６１９に送られる。
【００６２】
同様に、Ａ／Ｄ変換部６１４は、入力されたアナログオーディオ信号を、たとえばサンプリング周波数４８ｋＨｚ、量子化ビット数１６ビットでデジタル化する。デジタル化されたオーディオ信号はオーディオエンコード部６１４でエンコード（ＭＰＥＧ、ＡＣ−３、リニアＰＣＭなど）され、エンコードされたデジタルオーディオ信号はフォーマッタ部６１９に供給される。
【００６３】
なお、ビデオエンコード部６１６は、入力されたデジタルビデオ信号を、ＭＰＥＧ２などの規格に基づき、可変ビットレートで圧縮されたデジタル信号に変換する機能を持つ。また、オーディオエンコード部６１７は、入力されたデジタルオーディオ信号を、ＭＰＥＧ、ＡＣ−３などの規格に基づき、固定ビットレートで圧縮されたデジタル信号（またはリニアＰＣＭのデジタル信号）に変換する機能を持つ。
【００６４】
フォーマッタ部６１９には、デジタルカメラ（電子スチルカメラ）６４０から、ＪＰＥＧ（あるいはモーションＪＰＥＧ）で圧縮されたスチル画データも適宜入力される。フォーマッタ部６１９にはさらに、ＳＴＢ部６０３からのデジタルビットストリーム（ＭＰＥＧのトランスポートパケット）も適宜入力可能となっている。
【００６５】
ＳＴＢ部６０３は、衛星アンテナ６２１で受信した衛星デジタル放送のＭＰＥＧトランスポートストリームをそのままフォーマッタ部６１９に送るだけでなく、その内部でＭＰＥＧトランスポートストリームをデコード（圧縮情報の伸張処理など）し、対応するデジタルオーディオ信号６２２および対応するデジタルビデオ信号６２３を出力することもできる。ＳＴＢ部６０３からのデジタルビデオ信号６２３はセレクタ６１５を介してビデオエンコード部６１６に転送でき、ＳＴＢ部６０３からのデジタルオーディオ信号６２２はデコーダ部６０２のＤ／Ａ変換部６３２へ転送できるようになっている。
【００６６】
フォーマッタ部６１９は、バッファメモリ部６２０をワークエリアとして使用しながら、入力されたビデオ信号、オーディオ信号、テキスト信号等に対して所定の信号処理を行い、所定のフォーマット（ファイル構造）に合致した記録データをデータプロセサ部（Ｄ−ＰＲＯ部）６１０に出力する。
【００６７】
ここで、上記記録データを作成するための標準的なエンコード処理内容を簡単に説明しておく。すなわち、図９のエンコーダ部６０１においてエンコード処理が開始されると、ビデオデータその他のエンコードにあたって必要なパラメータが設定される。次に、設定されたパラメータを利用して主映像データがプリエンコードされ、設定された平均転送レート（記録レート）に最適な符号量の分配が計算される。こうしてプリエンコードで得られた符号量分配に基づき、主映像のエンコードが実行される。このとき、オーディオデータのエンコードも同時に実行される。
【００６８】
プリエンコードの結果、データ圧縮量が不十分な場合（録画しようとするＤＶＤーＲＡＭディスク、ＤＶＤ−ＲＷディスク、ＤＶＤーＲディスク、またはＨＤＤレコーダユニット７００に希望のビデオプログラムが収まり切らない場合）、再度プリエンコードする機会を持てるなら（たとえば録画のソースがビデオテープあるいはビデオディスクなどの反復再生可能なソースであれば）、主映像データの部分的な再エンコードが実行され、再エンコードした部分の主映像データがそれ以前にプリエンコードした主映像データ部分と置換される。このような一連の処理によって、主映像データおよびオーディオデータがエンコードされ、記録に必要な平均ビットレートの値が、大幅に低減される。
【００６９】
同様に、リアルタイムテキストデータをエンコードするに必要なパラメータが設定され、エンコードされたＲＴ＿ＴＥＸＴデータが作成される。
【００７０】
以上のようにしてエンコードされた主映像データ、オーディオデータおよびＲＴ＿ＴＥＸＴデータが組み合わされて、ＲＴＲ−ＤＶＤビデオの構造に変換される。
【００７１】
エンコードされた主映像データ、オーディオデータおよびＲＴ＿ＴＥＸＴデータは、一定サイズ（２０４８バイト）のパックに細分化される。これらのパックには、図示しないダミーパックを適宜挿入できる。なお、ダミーパック以外のパック内には、適宜、ＰＴＳ（プレゼンテーションタイムスタンプ）、ＤＴＳ（デコードタイムスタンプ）等のタイムスタンプが記述される。
【００７２】
そして、各データのタイムコード順に再生可能なように、データユニット（ビデオオブジェクトユニットＶＯＢＵ、オーディオオブジェクトユニットＡＯＢＵ、ストリームオブジェクトユニットＳＯＢＵ）の単位で各データセルが配置されて、複数のセルで構成されるオブジェクト（ビデオオブジェクトＶＯＢ、オーディオオブジェクトＡＯＢ、ストリームオブジェクトＳＯＢ）が構成される。このＶＯＢ／ＡＯＢ／ＳＯＢを１以上まとめた〜．ＶＲＯファイル、〜．ＡＲＯファイル、〜．ＳＲＯファイル等が、図２または図１５のディレクトリ構造でフォーマットされる。
【００７３】
なお、ＤＶＤビデオの再生信号をデジタルコピーできる場合は、セル、プログラムチェーン、管理テーブル、タイムスタンプ等の内容は初めから決まっているので、これらを改めて作成する必要はない。ただし、ＤＶＤ再生信号をデジタルコピーできるようにＲＴＲ−ＤＶＤビデオレコーダを構成するには、適切な著作権保護手段が講じられている必要がある。
【００７４】
ＤＶＤディスク（ＤＶＤ−ＲＡＭ、ＤＶＤ−ＲＷ、ＤＶＤ−Ｒ、ＤＶＤ−ＲＯＭ）１００に対して情報の読み書き（録画および／または再生）を実行するディスクドライブ部６０９には、Ｄ−ＰＲＯ部６１０、一時記憶部６１１、システムタイムカウンタ（またはシステムタイムクロック）ＳＴＣ部６５０等が接続されている。
【００７５】
このＳＴＣ部６５０には、さらにサブのＳＴＣ１部６５１およびＳＴＣ２部６５２が接続されている。これらのＳＴＣ１部６５１およびＳＴＣ２部６５２は、ＳＴＣ部６５０により適宜リセット（あるいは時間セット）されてから、ＳＴＣ部６５０とは異なるクロック信号を発生することができるようになっている。
【００７６】
Ｄ−ＰＲＯ部６１０は、メインＭＰＵ部６０４の制御にしたがって、エンコーダ部６０１からのＲＴＲ−ＤＶＤ記録データをディスクドライブ部６０９および／またはＨＤＤレコーダユニット７００に供給したり、ディスク１００あるいはＨＤＤレコーダユニット７００からＲＴＲ−ＤＶＤ再生信号を取り出したり、ディスク１００に記録された管理情報（図２または図１５のファイルデータの一部）を書き換えたり、ディスク１００に記録されたデータ（ファイルの一部あるいは全部）の削除（ごみ箱アイコンにファイルを捨てる処理）をしたりする。
【００７７】
一時記憶部６１１は、ディスクドライブ部６０９を介してディスク１００に書き込まれるデータ（エンコーダ部６０１から出力されるデータ）のうちの一定量分をバッファリングしたり、ディスクドライブ部６０９を介してディスク１００から再生されたデータ（デコーダ部６０２に入力されるデータ）のうちの一定量分をバッファリングするのに利用される。
【００７８】
たとえば一時記憶部６１１が４Ｍバイトの半導体メモリ（ＤＲＡＭ）で構成されるときは、平均４Ｍｂｐｓの記録レートでおよそ８秒分の記録または再生データのバッファリングが可能である。また、一時記憶部６１１が１６ＭバイトのＥＥＰＲＯＭ（フラッシュメモリ）で構成されるときは、平均４Ｍｂｐｓの記録レートでおよそ３０秒の記録または再生データのバッファリングが可能である。さらに、たとえばＨＤＤレコーダユニット７００の記録エリアの一部を、再生データのバッファリングに利用することも可能である。
【００７９】
一時記憶部６１１（あるいはＨＤＤレコーダユニット７００）は、録画途中でディスク１００を使い切ってしまった場合において、ディスク１００が新しいディスクに交換されるまでの録画情報を一時記憶しておくことに利用できる。
【００８０】
また、一時記憶部６１１は、ディスクドライブ部６０９として高速ドライブ（２倍速以上）を採用した場合において、一定時間内に通常ドライブより余分に読み出されたデータを一時記憶しておくことにも利用できる。再生時の読み取りデータを一時記憶部６１１にバッファリングしておけば、振動ショック等で図示しない光ピックアップが読み取りエラーを起こしたときでも、一時記憶部６１１にバッファリングされた再生データを切り替え使用することによって、再生映像が途切れないようにできる。
【００８１】
図９では図示しないが、ＲＴＲ−ＤＶＤビデオレコーダに外部カードスロットを設けておけば、上記ＥＥＰＲＯＭはオプションのＩＣカードとして別売できる。また、ＲＴＲ−ＤＶＤビデオレコーダに外部ドライブスロットあるいはＵＳＢインターフェイスを設けておけば、上記ＨＤＤもオプションの拡張ドライブとして別売できる。
【００８２】
なお、ＤＶＤ−ＲＡＭドライブ付のパーソナルコンピュータをソフトウエアでＲＴＲ−ＤＶＤビデオレコーダ化する場合（図示せず）では、パーソナルコンピュータ自身のハードディスクドライブの空き領域の一部またはメインメモリの一部を、図９の一時記憶部６１１として利用できる。
【００８３】
図９のメインＭＰＵ部６０４は、その心臓部であるマイクロコンピュータ（ＭＰＵまたはＣＰＵ）の他に、ビデオ・オーディオ関連データの作成制御を行うファームウエアが書き込まれたＲＯＭ６０４０、ビデオ・オーディオ関連データの再生制御を行うファームウエアが書き込まれたＲＯＭ６０４２、ビデオ・オーディオ関連データの部分消去制御を行うファームウエアが書き込まれたＲＯＭ６０４４、その他の制御プログラム等が書き込まれたプログラムＲＯＭ（図示せず）、キャラクタＲＯＭ（図示せず）、プログラム（ファームウエア）実行に必要なワークエリアを提供するワークＲＡＭ部６０４ａなどを含んでいる。
【００８４】
このメインＭＰＵ部６０４のＭＰＵは、そのＲＯＭに格納された制御プログラムに従い、そのＲＡＭをワークエリアとして用いて、後述する図１０〜図１７の処理などを実行する。
【００８５】
これらの処理において、ＲＴＲ−ＤＶＤビデオレコーダのユーザが入力するデータ（種々な処理の命令、連続取り込みしたい静止画の記録時間、静止画連続取り込みの開始命令、録画内容に関するテキスト入力など）は、キー入力部６０７からメインＭＰＵ部６０４に提供される。このキー入力部６０７としては、図示しないが、パーソナルコンピュータのキーボードあるいはリモコンのカーソルキー／テンキー等を利用することができる。
【００８６】
メインＭＰＵ部６０４の実行結果のうち、ＲＴＲ−ＤＶＤビデオレコーダのユーザに通知すべき内容は、ＲＴＲ−ＤＶＤビデオレコーダの表示部６０８に表示される。そして、この通知内容は、適宜、モニタディスプレイに、オンスクリーンディスプレイ（ＯＳＤ）等を利用して、表示される。
【００８７】
なお、メインＭＰＵ部６０４がディスクドライブ部６０９、Ｄ−ＰＲＯ部６１０、エンコーダ部６０１および／またはデコーダ部６０２を制御するタイミングは、ＳＴＣ部６５０からの時間データに基づいて決定することができる。（録画・再生の動作は、通常はＳＴＣ部６５０からのタイムクロックに同期して実行されるが、それ以外の処理は、ＳＴＣ部６５０とは独立したタイミングで実行されてもよい。そのような独立タイミングは、サブのＳＴＣ１部６５１および／またはＳＴＣ２部６５２から得ることができる。）
また、メインＭＰＵ部６０４は、図示しないタイマクロック発生部からの時間データに基づいて、ディスク１００に記録された各プログラムの録画日時、エントリポイントの登録日時などの処理も実行することができるようになっている。
【００８８】
図９のデコーダ部６０２は、所定のパック構造を持つＲＴＲ−ＤＶＤ再生データから各パックを分離して取り出す分離部６２５と、パック分離その他の信号処理実行時に使用するメモリ６２６と、分離部６２５で分離された主映像データ（ビデオパックの内容）をデコードするビデオデコード部６２８と、分離部６２５で分離されたリアルタイムテキストをデコードするＲＴ＿ＴＥＸＴデコード部６２９と、分離部６２５で分離されたオーディオデータ（オーディオパックの内容）をデコードするオーディオデコード部６３０と、ビデオデコード部６２８からのビデオデータにＲＴ＿ＴＥＸＴデコード部６２９からのリアルタイムテキストデータを適宜合成して出力するビデオプロセサ（Ｖ−ＰＲＯ）部６３８と、オーディオデコード部６３０からのデジタルオーディオ出力をアナログオーディオ信号に変換するＤ／Ａ変換部（オーディオ用）６３２を備えている。
【００８９】
ここで、ビデオデコード部６２８は、図示しないが、縮小画像（サムネールピクチャ）生成部を含んでいてもよい。この縮小画像生成部は、読み込んだ画像データを縮小してフレームメモリ部６０６に転送し、縮小画像（サムネールピクチャ）を外部モニタＴＶ６３７に出力するように構成できる。
【００９０】
Ｖ−ＰＲＯ部６３８から出力される主映像データ（適宜縮小画像データを含む）およびメインＭＰＵ部６０４から適宜供給されるＯＳＤデータ（テキスト等）は、ビデオミキシング部６０５に入力される。このＯＳＤデータは、フレームメモリ部６０６上でＶ−ＰＲＯ部６３８からの主映像データに重畳される。このＯＳＤデータが重畳された主映像データは、ビデオミキシング部６０５から出力される。
【００９１】
ビデオミキシング部６０５からのデジタルビデオ出力は、デジタル出力Ｉ／Ｆ６３４を介して外部のパーソナルコンピュータ（ＰＣ）６３５などへ出力されるとともに、Ｄ／Ａ変換部６３６によりアナログビデオ信号に変換され、外部モニタＴＶ６３７に供給される。すると、種々なテキスト情報等が、主映像とともにＴＶ６３７上で表示される。
【００９２】
オーディオデコード部６３０からのデジタルオーディオ出力は、デジタル出力Ｉ／Ｆ６３１を介して外部出力されるとともに、Ｄ／Ａ変換部６３２によりアナログオーディオ信号に変換されて、外部スピーカ６３３に供給される。
【００９３】
図１０は、複数種類の異種規格コンテンツ情報（ＶＲデータ／ＡＲデータ／ＳＲデータ）を混在記録可能な情報媒体（図９の１００、７００等）が図９に例示されるような装置にセットされた場合において、同一情報媒体に２種以上の異種規格コンテンツ情報（ＶＲデータ／ＡＲデータ／ＳＲデータ）が混在記録されている場合は、その旨（２種以上の異種規格コンテンツ情報が混在記録されていることおよび／またはその混在記録状態）を装置ユーザに通知する処理の一例を説明するフローチャート図である。
【００９４】
まず、図９の情報記録再生装置へ情報記憶媒体１００がセットされると、情報記憶媒体１００からディスクドライブ部６０９を介して、ファイル管理情報であるボリューム＆ファイル構造情報１１１が読み出され、メインＭＰＵ部６０４のワークＲＡＭ部６０４ａに格納される（ステップＳＴ１００）。
【００９５】
こうしてワークＲＡＭ部６０４ａに格納されたボリューム＆ファイル構造情報１１１からディレクトリ情報が検索されて、ＤＶＤ＿ＲＴＡＶディレクトリ２１０が検出される（ステップＳＴ１０２）。
【００９６】
続いて、検出されたＤＶＤ＿ＲＴＡＶディレクトリ２１０内のファイル群が全て検索され、それらのファイル種別（たとえばファイル名“ＶＲ＿＊＊＊．ＶＲＯ”、“ＡＲ＿＊＊＊．ＡＲＯ”等により区別されるファイル種別）が判定される（ステップＳＴ１０４）。
【００９７】
このファイル種別の判定結果を基に、ＤＶＤ＿ＲＴＡＶディレクトリ２１０内に異なる規格のファイルが存在するか否かがチェックされる（ステップＳＴ１０６）。
【００９８】
このチェックの結果、異なる規格のファイルがＤＶＤ＿ＲＴＡＶディレクトリ２１０内に存在する場合は（ステップＳＴ１０６イエス）、表示部６０８等を用いたメッセージ表示および／またはＬＥＤ点灯表示等により、異なる規格のファイルが混在して存在することがユーザに通知される（ステップＳＴ１０８）。
【００９９】
このユーザ通知の方法としては、単に混在を示す表示だけに止まらず、ＶＲ／ＡＲ／ＳＲ、ＶＲ／ＡＲ、ＡＲ／ＳＲ、およびＶＲ／ＳＲの４つの組合せ全てについて、その混在状態を示すことも可能である。
【０１００】
また、複数の規格に対応した情報記録再生装置が、夫々の規格の管理情報（１３０、１４０および１５０）を読み出し、夫々のプレイリストを同一画面上にメニュー表示する（図示せず）ことも、この発明の一実施の形態として可能である。
【０１０１】
図１１は、複数種類の異種規格コンテンツ情報（ＶＲデータ／ＡＲデータ／ＳＲデータ）の任意な再生手順を統合管理できるものであって、この発明の一実施の形態に係る統合管理情報８００のデータ構造を説明する図である。
【０１０２】
図１１に示すように、ＤＶＤレコーディング規格統合管理情報８００は、３種類のＤＶＤレコーディング規格を統合管理する情報全体を管理する統合管理情報８０１と、統合プレイリストテーブル８０２と、統合ユーザ定義ＰＧＣ情報テーブル８０３とで構成される。
【０１０３】
統合管理情報８０１は、ユーザ選択可能なプレイリスト登録数（ｎ）の記述部８０１ａを含んでいる。統合プレイリストテーブル８０２は、ユーザによる選択的な再生を可能にする複数のプレイリスト８０４を含んでいる。統合ユーザ定義ＰＧＣ情報テーブル８０３は、各規格のコンテンツ情報を任意に組み合わせてその再生順を規定する複数のユーザ定義ＰＧＣ情報（ＵＤ＿ＰＧＣＩ）８０５を含んでいる。ここで、ＵＤ＿ＰＧＣＩ・８０５は、プレイリスト８０４の何れかへ登録することにより、ユーザからの選択再生が可能となる。
【０１０４】
各規格の管理情報内に格納されるＰＧＣ情報８１０、８２０、８３０は、各規格での再生シーケンスを示す管理情報である。各セル情報８１１、８２１、８３１は、各規格での再生ユニットを示す管理情報である。セル情報８０６は、各規格からコピーされる再生ユニットを示す管理情報（図６のセルタイプ４５５の情報含む）であり、ＵＤ＿ＰＧＣＩ・８０５内に格納される。
【０１０５】
なお、再生の組み合わせおよび順序を示す情報としては、単純に、各規格で格納されるセル情報８１１、８２１、８３１内のセルタイプ情報および再生順番を示す番号を、規格統合管理情報８００として登録することも考えられる（図示せず）。
【０１０６】
上述したような規格統合管理情報８００により、各規格のコンテンツ情報を任意に組合せて再生管理することが可能となる。
【０１０７】
図１２は、図１１の統合管理情報８００の作成手順の一例を説明するフローチャート図である。
【０１０８】
まず、情報記憶媒体１００に記録された異なる規格の各管理情報がディスクドライブ部６０９を介して読み出され、メインＭＰＵ部６０４のワークＲＡＭ部６０４ａに格納される（ステップＳＴ２００）。
【０１０９】
次に、各規格の管理情報に格納されたＰＧＣ情報８１０、８２０、８３０階層下のセル情報８１１、８２１、８３１が取得され、ユーザ選択可能なように、取得されたセル情報がメニュー等で表示される。そして、ユーザ選択（あるいは自動選択）されたセル情報が、統合管理情報８００内のＵＤ＿ＰＧＣＩ・８０５に、新たなセル情報８０６として、順次登録される。こうして、異種規格間での統合再生シーケンスを規定するＵＤ＿ＰＧＣＩ・８０５が作成される（ステップＳＴ２０２）。
【０１１０】
こうして作成されたＵＤ＿ＰＧＣＩ・８０５のＰＧＣ番号が、ユーザによる選択再生可能なプレイリスト８０４に登録される。そして、統合管理情報内に登録された登録数が統合管理情報８０１に記述され、それが規格統合管理情報８００としてメインＭＰＵ部６０４のワークＲＡＭ部６０４ａに保存される（ステップＳＴ２０４）。
【０１１１】
図１３は、図１２の手順で作成され図９のメインＭＰＵ部６０４内ワークＲＡＭ部６０４ａに保持された図１１の統合管理情報８００を利用して、複数種類の異種規格コンテンツ情報（ＶＲデータ／ＡＲデータ／ＳＲデータ）を図９の装置で再生する場合の、再生手順の一例を説明するフローチャート図である。
【０１１２】
図９に示す情報記録再生装置において、図１２に示す処理工程を経た後、メインＭＰＵ部６０４内のワークＲＡＭ部６０４ａに格納された規格統合管理情報８００内の統合プレイリストテーブル８０２の情報から、プレイリスト８０４が取得される（ステップＳＴ３００）。
【０１１３】
次に、取得されたプレイリスト８０４から、統合ユーザ定義ＰＧＣ情報テーブル８０３内に格納された（取得されたプレイリストに対応する）ＵＤ＿ＰＧＣＩ・８０５が取得される（ステップＳＴ３０２）。
【０１１４】
続いて、取得されたＵＤ＿ＰＧＣＩ・８０５内のセル情報８０６が、その先頭（＃１）から順次取得される。そして、セルタイプ４５５により参照すべき規格を判別し、対応する規格のセル情報８１１、８２１、８３１を参照しながら、対応する規格のコンテンツ情報をディスクドライブ部６０９介して読み出す（ステップＳＴ３０４）。
【０１１５】
読み出したコンテンツ情報は、デコーダ部６０２に送られ、各デコーダ（６２８〜６３０）においてデコードされた後、ＴＶ６３７およびスピーカ６３３において表示・再生出力される（ステップＳＴ３０６）。
【０１１６】
取得されたＵＤ＿ＰＧＣＩ・８０５内の末尾（＃ｎ）セル情報８０６の再生が終了すると、取得されたプレイリスト８０４の再生が完了する（ステップＳＴ３０８）。
【０１１７】
ここで、再生するプレイリスト８０４のユーザ選択は、次のようにして行なうことができる。すなわち、規格統合管理情報８００内の統合プレイリストテーブル８０２の情報から、１以上のプレイリスト８０４の選択メニューを再生装置内で構築する。そして、構築されたユーザ選択メニューを表示部６０８あるいはＴＶ６３７等を利用して表示し（図示せず）、そのメニューからユーザに再生したいプレイリストを選択させるように構成できる。
【０１１８】
図１４は、図１１の統合管理情報８００を作成してから図１の情報記憶媒体１００に記録する場合の処理手順の一例を説明するフローチャート図である。
【０１１９】
図９に示す情報記録再生装置において、情報記憶媒体１００に記録された異なる規格の各管理情報がディスクドライブ部６０９を介して読み出され、メインＭＰＵ部６０４のワークＲＡＭ部６０４ａに格納される（ステップＳＴ４００）。
【０１２０】
次に、各規格の管理情報に格納されるＰＧＣ情報８１０、８２０、８３０の階層下のセル情報８１１、８２１、８３１が取得され、ユーザ選択可能なように、取得されたセル情報の内容がメニュー等で表示される。そして、ユーザ選択（あるいは自動選択）されたセル情報が、統合管理情報８００内のＵＤ＿ＰＧＣＩ・８０５に、新たなセル情報８０６として、順次登録される。こうして、異種規格間での統合再生シーケンスＵＤ＿ＰＧＣＩ・８０５が作成される（ステップＳＴ４０２）。
【０１２１】
こうして作成されたＵＤ＿ＰＧＣＩ・８０５のＰＧＣ番号は、ユーザによる選択再生可能なプレイリスト８０４に登録される。そして、統合管理情報内に登録された登録数が統合管理情報８０１に記述され、規格統合管理情報８００としてメインＭＰＵ部６０４のワークＲＡＭ部６０４ａに保存される（ステップＳＴ４０４）。
【０１２２】
メインＭＰＵ部６０４のワークＲＡＭ部６０４ａに格納された規格統合管理情報８００は、ディスクドライブ部６０９を介して、情報記憶媒体１００に、統合管理情報ファイルＵＲ＿ＭＡＮＧＲ．ＩＦＯ１２００（図１５参照）として記録される。そして、このＵＲ＿ＭＡＮＧＲ．ＩＦＯの記録に対応して、情報記憶媒体１００のボリューム＆ファイル構造情報１１１が更新される（ステップＳＴ４０６）。
【０１２３】
図１４の例では、規格統合管理情報８００が統合管理情報ＵＲ＿ＭＡＮＧＲ．ＩＦＯファイルとして記録される例を示したが、この規格統合管理情報８００は、図３〜図４に示す製造者情報テーブル（ＭＮＦＩＴ）３０６、３１６に（余白があれば）記録保存することも可能である。
【０１２４】
図１５は、図１に示す情報記憶媒体１００内のボリューム＆ファイル構造情報１１１に記録されるものであって、３種類のＤＶＤレコーディング規格（ＶＲ規格／ＡＲ規格／ＳＲ規格）で規定されるファイルおよびこれらのファイルの再生手順を統合管理する統合管理情報ファイル（ＵＲ＿ＭＡＮＧＲ．ＩＦＯ１２００）のディレクトリ構造を例示している。図１５は、図２のＤＶＤ＿ＲＴＡＶディレクトリ２１０に統合管理情報ＵＲ＿ＭＡＮＧＲ．ＩＦＯ１２００を追加した構造となっている。
【０１２５】
図１６は、図１１の統合管理情報８００が記録された図１の情報記憶媒体１００から統合管理情報８００を読み出して、複数種類の異種規格コンテンツ情報（ＶＲデータ／ＡＲデータ／ＳＲデータ）を再生する場合の再生手順の一例を説明するフローチャート図である。
【０１２６】
まず、規格統合管理情報８００が統合管理情報ファイルＵＲ＿ＭＡＮＧＲ．ＩＦＯ１２００として記録された情報記憶媒体１００から、ディスクドライブ部６０９を介して、ボリューム＆ファイル構造情報１１１が読み出され、メインＭＰＵ部６０４のワークＲＡＭ部６０４ａに格納される（ステップＳＴ５００）。
【０１２７】
こうしてワークＲＡＭ部６０４ａに格納されたボリューム＆ファイル構造情報１１１のディレクトリ構造を検索して、ＤＶＤ＿ＲＴＡＶディレクトリ２１０を検出する（ステップＳＴ５０２）。
【０１２８】
検出されたＤＶＤ＿ＲＴＡＶディレクトリ２１０内に格納されるファイル群から、統合管理情報ファイルＵＲ＿ＭＡＮＧＲ．ＩＦＯ１２００が取得される（ステップＳＴ５０４）。
【０１２９】
取得されたファイルから規格統合管理情報８００が取り出され、取り出された情報８００内の統合プレイリストテーブル８０２の情報からプレイリスト８０４が取得される（ステップＳＴ５０６）。
【０１３０】
取得されたプレイリスト８０４から、統合ユーザ定義ＰＧＣ情報テーブル８０３内に格納される対応ＵＤ＿ＰＧＣＩ・８０５が取得される（ステップＳＴ５０８）。
【０１３１】
取得したＵＤ＿ＰＧＣＩ・８０５内のセル情報８０６を先頭（＃１）から順次取得し、セルタイプ４５５により参照すべき規格を判別し、対応する規格のセル情報８１１、８２１、８３１を参照しながら、対応する規格のコンテンツ情報をディスクドライブ部６０９介して読み出す（ステップＳＴ５１０）。
【０１３２】
読み出したコンテンツ情報をデコーダ部６０２に送り、各デコーダにおいてデコーダした後、ＴＶ６３７およびスピーカ６３３から再生出力する（ステップＳＴ５１２）。
【０１３３】
取得されたＵＤ＿ＰＧＣＩ・８０５内の末尾（＃ｎ）セル情報８０６の再生が終了すると、取得したプレイリスト８０４の再生が完了する（ステップＳＴ５１４）。
【０１３４】
ここで、規格統合管理情報８００内の統合プレイリストテーブル８０２の情報からプレイリスト８０４の選択メニューを再生装置内で構築し、構築されたメニューを表示部６０８あるいはＴＶ６３７等に表示して、メニューのユーザ選択操作により、再生するプレイリスト８０４を選択するように構成することもできる。
【０１３５】
図１７は、図１１の統合管理情報８００が記録された図１の情報記憶媒体１００から統合管理情報８００を読み出して、複数種類の異種規格コンテンツ情報（ＶＲデータ／ＡＲデータ／ＳＲデータ）を再生する場合の再生手順の他例を説明するフローチャート図である。
【０１３６】
まず、図１５に示すように規格統合管理情報８００が統合管理情報ファイルＵＲ＿ＭＡＮＧＲ．ＩＦＯ１２００として記録される情報記憶媒体１００から、ディスクドライブ部６０９を介して、ボリューム＆ファイル構造情報１１１が読み出され、メインＭＰＵ部６０４のワークＲＡＭ部６０４ａに格納される（ステップＳＴ６００）。
【０１３７】
こうしてワークＲＡＭ部６０４ａに格納されたボリューム＆ファイル構造情報１１１のディレクトリ構造が検索されて、ＤＶＤ＿ＲＴＡＶディレクトリ２１０が検出される（ステップＳＴ６０２）。
【０１３８】
検出されたＤＶＤ＿ＲＴＡＶディレクトリ２１０内に格納されるファイル群から、統合管理情報ファイルＵＲ＿ＭＡＮＧＲ．ＩＦＯ１２００が取得される（ステップＳＴ６０４）。
【０１３９】
取得されたファイルから規格統合管理情報８００が取り出され、取り出された情報８００内の統合プレイリストテーブル８０２の情報からプレイリスト８０４が取得される（ステップＳＴ６０６）。
【０１４０】
取得されたプレイリスト８０４から、統合ユーザ定義ＰＧＣ情報テーブル８０３内に格納される対応ＵＤ＿ＰＧＣＩ・８０５が取得される（ステップＳＴ６０８）。
【０１４１】
取得されたＵＤ＿ＰＧＣＩ・８０５内のセル情報８０６が、先頭（＃１）から取得される（ステップＳＴ６１０）。
【０１４２】
取得されたセル情報８０６内のセルタイプ４５５（図６参照）がチェックされ、再生装置でサポートしている規格の（再生可能な）セルか否かが判定される（ステップＳＴ６１２）。
【０１４３】
ここで、もし再生装置でサポートしていない規格のセルならば（ステップＳＴ６１２ノー）、このセルをスキップし、次のセル情報８０６を取得（ステップＳＴ６１４）して、ステップＳＴ６１２の処理へ戻り、再生処理を続行する。
【０１４４】
また再生装置でサポートしている規格のセルならば（ステップＳＴ６１２イエス）、対応する規格のセル情報８１１、８２１、８３１を参照しながら、対応する規格のコンテンツ情報がディスクドライブ部６０９介して読み出される（ステップＳＴ６１６）。
【０１４５】
読み出されたコンテンツ情報はデコーダ部６０２に送られ、各デコーダにおいてデコードされた後、ＴＶ６３７およびスピーカ６３３で再生される（ステップＳＴ６１８）。
【０１４６】
取得されたＵＤ＿ＰＧＣＩ・８０５内の末尾（＃ｎ）セル情報８０６か否かをチェックされる（ステップＳＴ６２０）。
【０１４７】
ここで、もし末尾（＃ｎ）セル情報８０６でないならば（ステップＳＴ６２０ノー）、次のセル情報８０６を取得（ステップＳＴ６１４）して、ステップＳＴ６１２の処理へ戻り、再生処理を続行する。
【０１４８】
また末尾（＃ｎ）セル情報８０６であるならば（ステップＳＴ６２０イエス）、取得されたＵＤ＿ＰＧＣＩ・８０５内の末尾（＃ｎ）セル情報８０６の再生を終了してから、取得されたプレイリスト８０４の再生を完了する（ステップＳＴ６２２）。
【０１４９】
【発明の効果】
以上説明したようにこの発明によれば、異なるＤＶＤレコーディング規格のコンテンツ情報が同一ディスク上に混在する場合に、異なるＤＶＤレコーディング規格のコンテンツ情報が混在することをユーザへ認識せしめる再生装置／再生方法を提供することができる。
【０１５０】
また、この発明は、異なるＤＶＤレコーディング規格のコンテンツ情報を、ユーザが任意に組合せ、その再生順を指定可能な再生装置／再生方法、記録装置／記録方法および情報記憶媒体を提供することができる。
【図面の簡単な説明】
【図１】この発明の一実施の形態に係る異種規格情報混在記録管理システムで使用可能な情報記憶媒体（ＤＶＤ−ＲＡＭ、ＤＶＤ−ＲＷ、ＤＶＤ−Ｒ、ＨＤＤ等）のデータ構造を説明する図。
【図２】図１に示す情報記憶媒体内のボリューム＆ファイル構造情報に記録されるものであって、３種類のＤＶＤレコーディング規格（ＶＲ規格／ＡＲ規格／ＳＲ規格）で規定されるファイルのディレクトリ構造を例示する図。
【図３】図１に示す情報記憶媒体内のオーディオ・ビデオ関連情報記録領域に記録されるものであって、ビデオレコーディング規格用のＶＲ管理情報記録領域（図２のＶＲ＿ＭＡＮＧＲ．ＩＦＯファイルに対応）の内部データ構造を説明する図。
【図４】図１に示す情報記憶媒体内のオーディオ・ビデオ関連情報記録領域に記録されるものであって、オーディオレコーディング規格用のＡＲ管理情報記録領域（図２のＡＲ＿ＭＡＮＧＲ．ＩＦＯファイルに対応）の内部データ構造を説明する図。
【図５】図１に示す情報記憶媒体内のオーディオ・ビデオ関連情報記録領域に記録されるものであって、ストリームレコーディング規格用のＳＲ管理情報記録領域（図２のＳＲ＿ＭＡＮＧＲ．ＩＦＯファイルに対応）の内部データ構造を説明する図。
【図６】互いに異なる３種類のＤＶＤ規格（ＶＲ規格／ＡＲ規格／ＳＲ規格）間において互換性のあるコンテンツ再生制御の基本単位であるプログラムチェーン情報（ＰＧＣＩ）の内部データ構造を説明する図。
【図７】互いに異なる３種類のＤＶＤ規格（ＶＲ規格／ＡＲ規格／ＳＲ規格）間において互換性のあるコンテンツ再生制御情報であるプレイリストサーチポインタテーブル（ＰＬ＿ＳＲＰＴ）の内部データ構造を説明する図。
【図８】互いに異なる３種類のＤＶＤ規格（ＶＲ規格／ＡＲ規格／ＳＲ規格）間において互換性のあるコンテンツ再生制御情報であるユーザ定義ＰＧＣ情報テーブル（ＵＤ＿ＰＧＣＩＴ）の内部データ構造を説明する図。
【図９】ファイル単位で管理される複数種類の異種規格（ＶＲ規格／ＡＲ規格／ＳＲ規格）のコンテンツ情報（ＶＲデータ／ＡＲデータ／ＳＲデータ）およびそれらのコンテンツ管理情報（ＶＲ管理情報／ＡＲ管理情報／ＳＲ管理情報）を、たとえば図１に示す情報記憶媒体に混在記録し、またこの媒体から混在記録された異種規格のコンテンツ情報を再生する記録再生装置の構成を説明するブロック図。
【図１０】複数種類の異種規格コンテンツ情報（ＶＲデータ／ＡＲデータ／ＳＲデータ）を混在記録可能な情報媒体が図９に例示されるような装置にセットされた場合において、同一情報媒体に２種以上の異種規格コンテンツ情報が混在記録されている場合は、その旨（２種以上の異種規格コンテンツ情報が混在記録されていることおよび／またはその混在記録状態）を装置ユーザに通知する処理の一例を説明するフローチャート図である。
【図１１】複数種類の異種規格コンテンツ情報（ＶＲデータ／ＡＲデータ／ＳＲデータ）の任意な再生手順を統合管理できるものであって、この発明の一実施の形態に係る統合管理情報８００のデータ構造を説明する図。
【図１２】図１１の統合管理情報８００の作成手順（統合管理情報構築方法）の一例を説明するフローチャート図。
【図１３】図１１の統合管理情報８００を利用して複数種類の異種規格コンテンツ情報（ＶＲデータ／ＡＲデータ／ＳＲデータ）を再生する場合の、再生手順の一例を説明するフローチャート図。
【図１４】図１１の統合管理情報８００を作成してから図１の情報記憶媒体に記録する場合の処理手順（統合管理情報記録方法）の一例を説明するフローチャート図。
【図１５】図１に示す情報記憶媒体内のボリューム＆ファイル構造情報に記録されるものであって、３種類のＤＶＤレコーディング規格（ＶＲ規格／ＡＲ規格／ＳＲ規格）で規定されるファイルおよびこれらのファイルの再生手順を統合管理する統合管理情報ファイル（ＵＲ＿ＭＡＮＧＲ．ＩＦＯ）のディレクトリ構造を例示する図。
【図１６】図１１の統合管理情報が記録された図１の情報記憶媒体から統合管理情報を読み出して複数種類の異種規格コンテンツ情報（ＶＲデータ／ＡＲデータ／ＳＲデータ）を再生する場合の、再生手順の一例を説明するフローチャート図。
【図１７】図１１の統合管理情報が記録された図１の情報記憶媒体から統合管理情報を読み出して複数種類の異種規格コンテンツ情報（ＶＲデータ／ＡＲデータ／ＳＲデータ）を再生する場合の、再生手順（非対応規格の再生ユニット情報のスキップ再生方法）の他例を説明するフローチャート図。
【符号の説明】
１００…光ディスク／情報記憶媒体（ＤＶＤ−ＲＡＭ、ＤＶＤ−ＲＷ、ＤＶＤ−Ｒその他の録再可能情報媒体）；６０１…エンコーダ部；６０２…デコーダ部；６０３…セットトップボックス（ＳＴＢ）部；６０４…メインＭＰＵ部；６０４ａ…ワークＲＡＭ部；６０４０…ビデオ・オーディオ関連データ作成制御部；６０４２…ビデオ・オーディオ関連データ再生制御部；６０４４…ビデオ・オーディオ関連データ部分消去制御部；６０５…ビデオミキシング部；６０６…フレームメモリ部；６０７…キー入力部；６０８…表示部；６０９…ディスクドライブ部；６１０…データプロセサ（Ｄ−ＰＲＯ）部；６１１…一時記憶（バッファ）部；６１２…Ａ／Ｖ入力部；６１３…ＴＶチューナ部；６１４…Ａ／Ｄ変換部；６１５…セレクタ部；６１６…ビデオエンコード部；６１７…オーディオエンコード部；６１８…リアルタイムテキスト（ＲＴ＿ＴＥＸＴ）エンコード部；６１９…フォーマッタ部；６２０…バッファメモリ部；６２１…衛星アンテナ；６２２…オーディオ信号；６２３…ビデオ信号；６２５…分離部；６２６…メモリ；６２８…ビデオデコード部；６２９…リアルタイムテキストデコード部；６３０…オーディオデコード部；６３１…デジタル出力Ｉ／Ｆ（オーディオ用）；６３２…Ｄ／Ａ変換部（オーディオ用）；６３３…外部スピーカ；６３４…デジタル出力Ｉ／Ｆ（ビデオ用）；６３５…外部パーソナルコンピュータ（ＰＣ）；６３６…Ｄ／Ａ変換部（ビデオ用）；６３７…外部モニタＴＶ；６３８…ビデオプロセサ（Ｖ−ＰＲＯ）部；６４０…デジタルカメラ；６４１…マイクロフォン；６４２…キー入力部；６５０…メインシステムタイムクロック（ＳＴＣ０）部；６５１…サブシステムタイムクロック（ＳＴＣ１）部；６５２…サブシステムタイムクロック（ＳＴＣ２）部；７００…ハードディスクドライブ（ＨＤＤ）レコーダユニット。
【図１】
0003597805.tif 000002
【図２】
0003597805.tif 000003
【図３】
0003597805.tif 000004
【図４】
0003597805.tif 000005
【図５】
0003597805.tif 000006
【図６】
0003597805.tif 000007
【図７】
0003597805.tif 000008
【図８】
0003597805.tif 000009
【図９】
0003597805.tif 000010
【図１０】
0003597805.tif 000011
【図１１】
0003597805.tif 000012
【図１２】
0003597805.tif 000013
【図１３】
0003597805.tif 000014
【図１４】
0003597805.tif 000015
【図１５】
0003597805.tif 000016
【図１６】
0003597805.tif 000017
【図１７】
0003597805.tif 000018